(57)【特許請求の範囲】
【請求項１】
第１の表示部と、
前記第１の表示部に表示される第１の画面に対する操作を検出する第１の操作検出部と、
第２の表示部と、
前記第２の表示部に表示される第２の画面に対する操作を検出する第２の操作検出部と、
所定の条件に基づいて、前記第１の表示部または前記第２の表示部の少なくとも一方を省電力状態へ移行させる省電力処理を行う制御部とを備え、
前記制御部は、前記第１の画面または前記第２の画面の少なくとも一方の画面に対する操作が検出されない時間が閾値よりも長く継続する場合に、当該画面を提供するプログラムの種別に応じて前記省電力処理を異ならせ、
前記プログラムが、前記第１の画面および前記第２の画面の両方を提供しているか、いずれか一方を適用しているかに応じて前記省電力処理を異ならせ、
前記プログラムが、前記第１の画面および前記第２の画面の両方を提供している場合に、前記プログラムが、前記第１の画面および前記第２の画面を前記第１の表示部と前記第２の表示部とをまたがって表示される１つの画面として提供しているか否かに応じて前記省電力処理を異ならせることを特徴とする携帯電子機器。
【請求項２】
前記制御部は、前記プログラムが、動きのある画像を再生する処理を行うプログラムである場合には、前記省電力処理を実行しないことを特徴とする請求項１に記載の携帯電子機器。
【請求項３】
前記制御部は、
前記省電力処理において、表示中の画面に対する操作が検出されない時間が前記閾値よりも長く継続している側の表示部を微灯状態に遷移させ、
前記省電力処理の実行後に、前記第１の操作検出部および前記第２の操作検出部のうち、微灯状態に遷移させた表示部に対応する操作検出部において操作が検出されたときに、前記表示部の微灯状態を解除することを特徴とする請求項１に記載の携帯電子機器。
【請求項４】
前記制御部は、前記プログラムが、前記第１の画面および前記第２の画面の両方を提供している場合には、
前記省電力処理において、前記プログラムの実行を継続させたままで、表示中の画面に対する操作が検出されない時間が前記閾値よりも長く継続している側の表示部を省電力状態に遷移させ、
前記省電力処理の実行後に、前記第１の操作検出部および前記第２の操作検出部のうち、省電力状態に遷移させた表示部に対応する操作検出部において操作が検出されたときに、当該表示部の省電力状態を解除することを特徴とする請求項１に記載の携帯電子機器。
【請求項５】
前記制御部は、前記プログラムが、前記第１の画面および前記第２の画面の両方を提供している場合には、
前記省電力処理の実行後に、省電力状態に遷移させた前記表示部に対する表示処理を前記プログラムに基づいて実行するときに、当該表示部の省電力状態を解除することを特徴とする請求項４に記載の携帯電子機器。
【請求項６】
前記制御部は、前記プログラムが、前記第１の画面および前記第２の画面の両方を提供していない場合には、前記省電力処理において、前記プログラムの実行を中断し、前記第１の表示部および前記第２の表示部のうち、表示中の画面に対する操作が検出されない時間が前記閾値よりも長く継続している側の表示部の表示を停止させることを特徴とする請求項５に記載の携帯電子機器。
【請求項７】
第１の表示部と、
前記第１の表示部に表示される第１の画面に対する操作を検出する第１の操作検出部と、
第２の表示部と、
前記第２の表示部に表示される第２の画面に対する操作を検出する第２の操作検出部と、を備える携帯電子機器によって実行される制御方法であって、
所定の条件に基づいて、前記第１の表示部または前記第２の表示部の少なくとも一方を省電力状態へ移行させる省電力処理を行うステップと、
前記第１の画面または前記第２の画面の少なくとも一方の画面に対する操作が検出されない時間が閾値よりも長く継続する場合に、当該画面を提供するプログラムの種別に応じて前記省電力処理を異ならせるステップと、
前記プログラムが、前記第１の画面および前記第２の画面の両方を提供しているか、いずれか一方を適用しているかに応じて前記省電力処理を異ならせるステップと、
前記プログラムが、前記第１の画面および前記第２の画面の両方を提供している場合に、前記プログラムが、前記第１の画面および前記第２の画面を前記第１の表示部と前記第２の表示部とをまたがって表示される１つの画面として提供しているか否かに応じて前記省電力処理を異ならせるステップと
を含むことを特徴とする制御方法。
【請求項８】
第１の表示部と、
前記第１の表示部に表示される第１の画面に対する操作を検出する第１の操作検出部と、
第２の表示部と、
前記第２の表示部に表示される第２の画面に対する操作を検出する第２の操作検出部と、を備える携帯電子機器に、
所定の条件に基づいて、前記第１の表示部または前記第２の表示部の少なくとも一方を省電力状態へ移行させる省電力処理を行うステップと、
前記第１の画面または前記第２の画面の少なくとも一方の画面に対する操作が検出されない時間が閾値よりも長く継続する場合に、当該画面を提供するプログラムの種別に応じて前記省電力処理を異ならせるステップと、
前記プログラムが、前記第１の画面および前記第２の画面の両方を提供しているか、いずれか一方を適用しているかに応じて前記省電力処理を異ならせるステップと、
前記プログラムが、前記第１の画面および前記第２の画面の両方を提供している場合に、前記プログラムが、前記第１の画面および前記第２の画面を前記第１の表示部と前記第２の表示部とをまたがって表示される１つの画面として提供しているか否かに応じて前記省電力処理を異ならせるステップと
を実行させることを特徴とする制御プログラム。
【発明の詳細な説明】
【技術分野】
【０００１】
本発明は、携帯電子機器、制御方法および制御プログラムに関する。
【背景技術】
【０００２】
携帯電子機器の消費電力を低減する技術として、無操作が所定時間継続した場合に表示部を非点灯にする等して表示部の消費電力を抑制する技術が知られている（例えば、特許文献１）。また、利用者に対してより広い表示部を提供できるように、複数の表示部を備える携帯電子機器も知られている（例えば、特許文献２）。
【先行技術文献】
【特許文献】
【０００３】
【特許文献１】特開２００４−３２０１０７号公報
【特許文献２】特開２００９−１６４７９４号公報
【発明の概要】
【発明が解決しようとする課題】
【０００４】
複数の表示部を備える携帯電子機器には、１つの表示部のみを利用する、それぞれの表示部を異なる用途に利用する、複数の表示部を連結された１つの表示部として利用するといった多様な利用形態がある。ところが、従来の消費電力の抑制技術は、携帯電子機器が１つの表示部を備えることを前提としていたため、このような多様な利用形態に合わせて好適な省電力処理を実現することができなかった。
【０００５】
本発明は、利用形態に合わせて好適な省電力処理を行うことができる携帯電子機器、制御方法および制御プログラムを提供することを目的とする。
【課題を解決するための手段】
【０００６】
上述した課題を解決し、目的を達成するために、本発明に係る携帯電子機器は、第１の表示部と、前記第１の表示部に表示される第１の画面に対する操作を検出する第１の操作検出部と、第２の表示部と、前記第２の表示部に表示される第２の画面に対する操作を検出する第２の操作検出部と、所定の条件に基づいて、前記第１の表示部または前記第２の表示部の少なくとも一方を省電力状態へ移行させる省電力処理を行う制御部とを備え、前記制御部は、前記第１の画面または前記第２の画面の少なくとも一方の画面に対する操作が検出されない時間が閾値よりも長く継続する場合に、当該画面を提供するプログラムの種別に応じて前記省電力処理を異ならせる。
【０００７】
ここで、前記制御部は、前記プログラムが、前記第１の画面および前記第２の画面の両方を提供しているか、いずれか一方を適用しているかに応じて前記省電力処理を異ならせることが好ましい。
【０００８】
また、前記制御部は、前記プログラムが、前記第１の画面および前記第２の画面の両方を提供している場合に、前記プログラムが、前記第１の画面および前記第２の画面を前記第１の表示部と前記第２の表示部とをまたがって表示される１つの画面として提供しているか否かに応じて前記省電力処理を異ならせることが好ましい。
【０００９】
また、前記制御部は、前記プログラムが、複数の画像を連続して再生する処理を行うプログラムである場合には、前記省電力処理を実行しないことが好ましい。
【００１０】
また、前記制御部は、前記省電力処理において、表示中の画面に対する操作が検出されない時間が前記閾値よりも長く継続している側の表示部を微灯状態に遷移させ、前記省電力処理の実行後に、前記第１の操作検出部および前記第２の操作検出部のうち、微灯状態に遷移させた表示部に対応する操作検出部において操作が検出されたときに、前記表示部の微灯状態を解除することが好ましい。
【００１１】
また、前記制御部は、前記プログラムが、前記第１の画面および前記第２の画面の両方を提供している場合には、前記省電力処理において、前記プログラムの実行を継続させたままで、表示中の画面に対する操作が検出されない時間が前記閾値よりも長く継続している側の表示部を省電力状態に遷移させ、前記省電力処理の実行後に、前記第１の操作検出部および前記第２の操作検出部のうち、省電力状態に遷移させた表示部に対応する操作検出部において操作が検出されたときに、当該表示部の省電力状態を解除することが好ましい。
【００１２】
また、前記制御部は、前記プログラムが、前記第１の画面および前記第２の画面の両方を提供している場合には、前記省電力処理の実行後に、省電力状態に遷移させた前記表示部に対する表示処理を前記プログラムに基づいて実行するときに、当該表示部の省電力状態を解除することが好ましい。
【００１３】
また、前記制御部は、前記プログラムが、前記第１の画面および前記第２の画面の両方を提供していない場合には、前記省電力処理において、前記プログラムの実行を中断し、前記第１の表示部および前記第２の表示部のうち、表示中の画面に対する操作が検出されない時間が前記閾値よりも長く継続している側の表示部の表示を停止させることが好ましい。
【００１４】
また、上述した課題を解決し、目的を達成するために、本発明に係る制御方法は、第１の表示部と、前記第１の表示部に表示される第１の画面に対する操作を検出する第１の操作検出部と、第２の表示部と、前記第２の表示部に表示される第２の画面に対する操作を検出する第２の操作検出部と、を備える携帯電子機器によって実行される制御方法であって、前記第１の表示部に前記第１の画面を表示するステップと、前記第２の表示部に前記第２の画面を表示するステップと、前記第１の画面または前記第２の画面の少なくとも一方の画面に対する操作が検出されない無操作時間が閾値よりも長く継続しているかを判定するステップと、前記無操作時間が前記閾値よりも長く継続している場合に、前記無操作時間が前記閾値よりも長く継続している画面を提供するプログラムの種別に応じて、前記第１の表示部または前記第２の表示部の少なくとも一方を省電力状態へ移行させるステップとを含む。
【００１５】
また、上述した課題を解決し、目的を達成するために、本発明に係る制御プログラムは、第１の表示部と、前記第１の表示部に表示される第１の画面に対する操作を検出する第１の操作検出部と、第２の表示部と、前記第２の表示部に表示される第２の画面に対する操作を検出する第２の操作検出部と、を備える携帯電子機器に、前記第１の表示部に前記第１の画面を表示するステップと、前記第２の表示部に前記第２の画面を表示するステップと、前記第１の画面または前記第２の画面の少なくとも一方の画面に対する操作が検出されない無操作時間が閾値よりも長く継続しているかを判定するステップと、前記無操作時間が前記閾値よりも長く継続している場合に、前記無操作時間が前記閾値よりも長く継続している画面を提供するプログラムの種別に応じて、前記第１の表示部または前記第２の表示部の少なくとも一方を省電力状態へ移行させるステップとを実行させる。
【発明の効果】
【００１６】
本発明に係る携帯電子機器、制御方法および制御プログラムは、利用形態に合わせて好適な省電力処理を行うことができるという効果を奏する。
【図面の簡単な説明】
【００１７】
【図１】図１は、開状態にある携帯電話端末の正面図である。
【図２】図２は、開状態にある携帯電話端末の側面図である。
【図３】図３は、携帯電話端末の機能的な構成を示すブロック図である。
【図４】図４は、プログラム情報の一例を示す図である。
【図５】図５は、別個に起動された２つのプログラムを利用する場合の制御の一例を示す図である。
【図６】図６は、別個に起動された２つのプログラムを利用する場合の制御の他の例を示す図である。
【図７】図７は、２画面プログラムを利用する場合の制御の一例を示す図である。
【図８】図８は、２画面プログラムを利用する場合の制御の他の例を示す図である。
【図９】図９は、プログラムから他のプログラムが呼び出された場合の制御の一例を示す図である。
【図１０】図１０は、省電力移行処理の処理手順を示すフローチャートである。
【図１１】図１１は、省電力復帰処理の処理手順を示すフローチャートである。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話端末について説明するが、本発明の適用対象は携帯電話端末に限定されるものではなく、タッチパネルを備える各種装置、例えば、ＰＨＳ（Personal  Handyphone  System）、ＰＤＡ、ポータブルナビゲーション装置、パーソナルコンピュータ、ゲーム機等に対しても本発明は適用できる。
【００１９】
（実施形態）
まず、図１および図２を参照しながら、本発明に係る携帯電子機器の一実施形態である携帯電話端末１の外観について説明する。図１は、開状態にある携帯電話端末１の正面図である。図２は、開状態にある携帯電話端末１の側面図である。図１および図２に示すように、携帯電話端末１は、第１の筐体１Ａと、第２の筐体１Ｂと、連結部１Ｃとを有する。第１の筐体１Ａは、タッチパネル２を有する。第２の筐体１Ｂは、タッチパネル３を有する。
【００２０】
タッチパネル２は、第１の筐体１Ａの面積が最も広い面の１つに設けられ、文字、図形、画像等を表示するとともに、指、スタイラス、ペン等（以下、単に「指」という）を用いてタッチパネル２の表面に対して行われる各種操作を検出する。タッチパネル３は、第２の筐体１Ｂの面積が最も広い面の１つに設けられ、文字、図形、画像等を表示するとともに、指を用いてタッチパネル３の表面に対して行われる各種操作を検出する。なお、タッチパネル２およびタッチパネル３が各種操作を検出する方式は、静電容量式、抵抗膜式、感圧式等の任意の方式であってよい。
【００２１】
連結部１Ｃは、第１の筐体１Ａおよび第２の筐体１Ｂを連結するとともに、第１の筐体１Ａおよび第２の筐体１Ｂが相対的に回動するための回転軸として機能する。携帯電話端末１は、第２の筐体１Ｂが連結部１Ｃを回転軸として、図２に示すＲ１の方向へ約１８０度回動することによって、開状態から閉状態へ遷移する。
【００２２】
携帯電話端末１が図１および図２に示すような開状態にある場合、タッチパネル２およびタッチパネル３は、略同一方向を向いた状態で携帯電話端末１の表面に露出する。このような開状態において、携帯電話端末１は、タッチパネル２およびタッチパネル３にそれぞれ異なる画面を表示したり、タッチパネル２およびタッチパネル３に跨がって１つの画面を表示したりする。そして、携帯電話端末１は、利用状況にあわせて、タッチパネル２およびタッチパネル３の制御の仕方を変更して省電力を実現する。開状態におけるタッチパネル２およびタッチパネル３の制御の詳細については後述する。
【００２３】
また、携帯電話端末１が閉状態にある場合、タッチパネル２およびタッチパネル３は、対向した状態となり、外部からは見えなくなる。このような閉状態において、携帯電話端末１は、タッチパネル２およびタッチパネル３の機能を停止させる。すなわち、携帯電話端末１は、タッチパネル２およびタッチパネル３の表示手段としての機能と操作手段としての機能とを停止させて電力消費を低減させる。
【００２４】
なお、上記の説明では、携帯電話端末１が、いわゆる折り畳み式の筐体を有することとしたが、携帯電話端末１は、スライド式の筐体を有していてもよい。すなわち、携帯電話端末１は、２つの筐体が重なり合う面積が最大となる閉状態では一方の筐体のタッチパネルのみが露出し、２つの筐体が重なり合う面積が最小となる開状態では両方の筐体のタッチパネルが露出するように構成されていてもよい。
【００２５】
次に、図３を参照しながら、携帯電話端末１の機能的な構成について説明する。図３は、携帯電話端末１の機能的な構成を示すブロック図である。図３に示すように携帯電話端末１は、タッチパネル２と、タッチパネル３と、電源部５と、通信部６と、スピーカ７と、マイク８と、記憶部９と、制御部１０と、ＲＡＭ（Random  Access  Memory）１１とを有する。なお、第１の筐体１Ａに設けられるタッチパネル２と第２の筐体１Ｂに設けられるタッチパネル３とを除いて、各構成要素は、第１の筐体１Ａと第２の筐体１Ｂのいずれに設けられていてもよい。
【００２６】
タッチパネル２は、表示部２Ｂと、表示部２Ｂに重畳されたタッチセンサ（操作検出部）２Ａとを有する。タッチセンサ２Ａは、指を用いてタッチパネル２の表面に対して行われる各種操作を、操作が行われた場所のタッチパネル２上での位置とともに検出し、制御部１０に通知する。タッチセンサ２Ａによって検出される操作には、タップ操作やスイープ（スワイプ）操作が含まれる。表示部２Ｂは、例えば、液晶ディスプレイ（Liquid  Crystal  Display）や、有機ＥＬ（Organic  Electro−Luminescence）パネルなどで構成され、文字や図形等を表示する。
【００２７】
タッチパネル３は、表示部３Ｂと、表示部３Ｂに重畳されたタッチセンサ（操作検出部）３Ａとを有する。タッチセンサ３Ａは、指を用いてタッチパネル３の表面に対して行われる各種操作を、操作が行われた場所のタッチパネル３上での位置とともに検出し、制御部１０に通知する。タッチセンサ３Ａによって検出される操作には、タップ操作やスイープ操作が含まれる。表示部３Ｂは、例えば、液晶ディスプレイや、有機ＥＬパネルなどで構成され、文字や図形等を表示する。
【００２８】
電源部５は、蓄電池または外部電源から得られる電力を、制御部１０を含む携帯電話端末１の各機能部へ供給する。通信部６は、基地局によって割り当てられるチャネルを介し、基地局との間でＣＤＭＡ（Code Division Multiple Access）方式などによる無線信号回線を確立し、基地局との間で電話通信および情報通信を行う。スピーカ７は、制御部１０から送信される音声信号を音声として出力する。マイク８は、利用者等の音声を音声信号へ変換して制御部１０へ送信する。
【００２９】
記憶部９は、不揮発性メモリや磁気記憶装置等の記憶装置である。記憶部９は、制御部１０での処理に利用されるプログラムやデータを保存する。記憶部９に記憶されるプログラムには、ブラウザプログラム９Ａ、メールプログラム９Ｂ、動画再生プログラム９Ｃ、ゲームプログラム９Ｄ、ナビゲーションプログラム９Ｅ、ファイラプログラム９Ｆ、制御プログラム９Ｇが含まれる。また、記憶部９に記憶されるデータには、プログラム情報９Ｈが含まれる。記憶部９は、携帯電話端末１の基本的な機能を実現するオペレーティングシステムプログラム等の各種プログラムやアドレス帳データ等の各種データも記憶する。なお、記憶部９は、メモリカード等の可搬の記憶媒体と、記憶媒体の読み取り装置との組み合わせとして構成されていてもよい。
【００３０】
ブラウザプログラム９Ａは、ＷＥＢブラウジング機能を提供する。メールプログラム９Ｂは、電子メール機能を提供する。動画再生プログラム９Ｃは、動画データの再生機能を提供する。ゲームプログラム９Ｄは、ゲーム機能を提供する。ナビゲーションプログラム９Ｅは、利用者を所定の場所へ誘導する機能を提供する。ファイラプログラム９Ｆは、記憶部に記憶されている各種ファイル（プログラムやデータを含む）にアクセスするための機能を提供する。
【００３１】
制御プログラム９Ｇは、各種検出部の検出結果に応じて携帯電話端末１の各部の動作を制御する機能を提供する。例えば、制御プログラム９Ｇは、タッチパネル２およびタッチパネル３の利用状況に応じて、タッチパネル２およびタッチパネル３の消費電力を抑制するための制御を行う機能を提供する。
【００３２】
プログラム情報９Ｈは、利用者の指示に応じて起動される各種プログラムに関する情報を保持する。プログラム情報９Ｈの一例を図４に示す。図４に示すように、プログラム情報９Ｈは、名称、パス、省電力といった項目を有する。名称は、プログラムの名称である。パスは、プログラムが記憶されている位置を示す。省電力は、プログラムの実行中に省電力状態への移行を行ってよいか否かを示す。実行中に省電力状態への移行を行ってよい場合、省電力には「許可」が設定され、実行中に省電力状態への移行を行ってはならない場合、省電力には「禁止」が設定される。
【００３３】
本実施例においては、図４に示すプログラム情報９Ｈの例の様に、動画再生プログラム９Ｃおよびゲームプログラム９Ｄについては、実行中に省電力状態への移行を行ってはならないものとする。また、ブラウザプログラム９Ａ、メールプログラム９Ｂ、ナビゲーションプログラム９Ｅおよびファイラプログラム９Ｆについては、実行中に省電力状態への移行を行ってよいものとする。
【００３４】
なお、プログラムの実行中に省電力状態への移行を行ってよいかについては、プログラムごとに予め決まっていてもよいし、利用者が任意に設定できてもよい。また、プログラムの実行中に省電力状態への移行を行ってよいか否かを示す情報をプログラム情報９Ｈで管理するのではなく、各プログラム中に埋め込んでもよい。
【００３５】
制御部１０は、ＣＰＵ（Central  Processing  Unit）等の演算装置である。制御部１０は、携帯電話端末１の動作を統括的に制御して各種の機能を実現する。具体的には、制御部１０は、記憶部９に記憶されているデータや各種検出部の検出結果を必要に応じて参照しつつ、記憶部９に記憶されているプログラムに含まれる命令を実行して、タッチパネル２や通信部６等を制御する。なお、制御部１０が実行するプログラムや参照するデータは、通信部６による無線通信でサーバ装置からダウンロードすることとしてもよい。
【００３６】
制御部１０は、例えば、ブラウザプログラム９Ａを実行することによって、通信部６にＷＥＢサーバからＷＥＢページを取得させ、取得されたＷＥＢページをタッチパネル２、タッチパネル３またはその両方に表示させる。また制御部１０は、制御プログラム９Ｇを実行することによって、利用状況に応じたタッチパネル２およびタッチパネル３の制御等の省電力処理を行う。
【００３７】
ＲＡＭ１１は、制御部１０によって実行されるプログラムの命令、制御部１０が参照するデータ、制御部１０の演算結果等が一時的に記憶される記憶領域として利用される。
【００３８】
次に、図５から図９を参照しながら、利用状況に応じた省電力処理の例について説明する。図５は、別個に起動された２つのプログラムを利用する場合の制御の一例を示す図である。図５に示すステップＳ１１において、携帯電話端末１は、開状態にある。また、ステップＳ１１において、タッチパネル２およびタッチパネル３は、省電力状態にあり、表示部２Ｂおよび表示部３Ｂの表示が停止している。なお、省電力状態とは、通常に使用される状態よりも電力消費が少ない状態をいう。
【００３９】
この状態において、タッチパネル３においてブラウザプログラム９Ａを起動するための所定の操作が検出されたものとする。ここでいう所定の操作とは、例えば、指Ｆ１でタッチパネル３に触れて表示部３Ｂの表示を再開させ、ブラウザプログラム９Ａに対応するアイコンを指Ｆ１でタップする操作である。この場合、制御部１０は、ブラウザプログラム９Ａを起動し、ステップＳ１２に示すように、ブラウザプログラム９Ａが提供するブラウザ画面ＳＣ１をタッチパネル３に表示させる。
【００４０】
続いて、タッチパネル２においてメールプログラム９Ｂを起動するための所定の操作が検出されたものとする。ここでいう所定の操作とは、例えば、指Ｆ１でタッチパネル２に触れて表示部２Ｂの表示を再開させ、メールプログラム９Ｂに対応するアイコンを指Ｆ１でタップする操作である。この場合、制御部１０は、メールプログラム９Ｂを起動し、ステップＳ１３に示すように、メールプログラム９Ｂが提供するメール作成画面ＳＣ２をタッチパネル２に表示させる。
【００４１】
そのまま利用者が指Ｆ１でメール作成画面ＳＣ２に対する操作を続け、ブラウザ画面ＳＣ１が表示されているタッチパネル３において操作が検出されない時間が閾値を超えたものとする。閾値は、予め決められた値であってもよいし、利用者によって設定された値であってもよい。この場合、ブラウザ画面ＳＣ１に対応するブラウザプログラム９Ａは、プログラムの実行中での省電力状態への移行がプログラム情報９Ｈにおいて許可されているため、制御部１０は、ステップＳ１４に示すように、タッチパネル３を省電力状態へ移行させる。
【００４２】
ステップＳ１４では、制御部１０は、表示部３Ｂの表示を停止させることによって、タッチパネル３を省電力状態へ移行させている。表示部３Ｂは、消費電力が多い部位の１つであるため、表示部３Ｂの表示を停止させることは、消費電力の抑制に大きく寄与する。また、図５の例のように、別個に起動されたプログラムが提供する画面がそれぞれの表示部に表示されている場合、それぞれの画面の関連がないため、一方の表示部の表示を停止させても利用者に不都合は少ない。
【００４３】
さらに、制御部１０は、ステップＳ１４において、ブラウザ画面ＳＣ１を提供するブラウザプログラム９Ａの実行を中断する。ブラウザプログラム９Ａの実行を中断することにより、消費電力をさらに抑制することができる。また、ブラウザ画面ＳＣ１が表示される表示部３Ｂの表示が停止しているため、ブラウザプログラム９Ａの実行を中断しても利用者に不都合はない。
【００４４】
その後、タッチパネル３において接触が検出されると、制御部１０は、ブラウザプログラム９Ａの実行と表示部３Ｂの表示とを再開させる。このため、制御部１０は、省電力状態においても、タッチセンサ３Ａの機能を有効にしておく。なお、省電力状態において、タッチセンサ３Ａも停止させ、タッチパネル３の近傍等に設けられたボタンが押下された場合に、ブラウザプログラム９Ａの実行と表示部３Ｂの表示とを再開させることとしてもよい。
【００４５】
図５では、タッチパネル３において操作が検出されない時間が閾値を超えた場合について説明したが、メール作成画面ＳＣ２が表示されているタッチパネル２において操作が検出されない時間が閾値を超えた場合も同様の省電力処理が行われる。すなわち、メール作成画面ＳＣ２が表示されているタッチパネル２において操作が検出されない時間が閾値を超えた場合、制御部１０は、表示部２Ｂの表示を停止させ、メールプログラム９Ｂの実行を中断する。
【００４６】
図６は、別個に起動された２つのプログラムを利用する場合の制御の他の例を示す図である。図６に示すステップＳ２１において、携帯電話端末１は、開状態にある。また、ステップＳ２１において、タッチパネル２およびタッチパネル３は、省電力状態にあり、表示部２Ｂおよび表示部３Ｂの表示が停止している。
【００４７】
この状態において、タッチパネル３において動画再生プログラム９Ｃを起動するための所定の操作が検出されたものとする。この場合、制御部１０は、動画再生プログラム９Ｃを起動し、ステップＳ２２に示すように、動画再生プログラム９Ｃが提供する動画再生画面ＳＣ３をタッチパネル３に表示させる。
【００４８】
続いて、タッチパネル２においてメールプログラム９Ｂを起動するための所定の操作が検出されたものとする。この場合、制御部１０は、メールプログラム９Ｂを起動し、ステップＳ２３に示すように、メールプログラム９Ｂが提供するメール作成画面ＳＣ２をタッチパネル２に表示させる。
【００４９】
そのまま利用者が指Ｆ１でメール作成画面ＳＣ２に対する操作を続け、動画再生画面ＳＣ３が表示されているタッチパネル３において操作が検出されない時間が上記の閾値を超えたものとする。この場合、動画再生画面ＳＣ３に対応する動画再生プログラム９Ｃは、プログラムの実行中での省電力状態への移行がプログラム情報９Ｈにおいて許可されていないため、制御部１０は、ステップＳ２４に示すように、動画再生画面ＳＣ３の表示を継続する。
【００５０】
動画再生画面ＳＣ３のように、動画、つまり動きのある画像、あるいは、複数の画像を連続して再生する画面は、操作が検出されない場合であっても、利用者によって視聴されている場合がある。このため、無操作が継続した場合も表示を継続させることにより、利用者による視聴が中断されることを抑止できる。
【００５１】
図７は、２画面プログラムを利用する場合の制御の一例を示す図である。２画面プログラムとは、タッチパネル２およびタッチパネル３に同時に画面を提供するプログラムである。一方、タッチパネル２またはタッチパネル３のいずれか一方に提供するプログラムについては、１画面プログラムと呼ぶこととする。なお、同一のプログラムが、状況に応じて、１画面プログラムと２画面プログラムのいずれかとして機能することもある。
【００５２】
図７に示すステップＳ３１において、携帯電話端末１は、開状態にある。また、ステップＳ３１において、タッチパネル２およびタッチパネル３は、省電力状態にあり、表示部２Ｂおよび表示部３Ｂの表示が停止している。
【００５３】
この状態において、タッチパネル２またはタッチパネル３においてゲームプログラム９Ｄを起動するための所定の操作が検出されたものとする。この場合、制御部１０は、ゲームプログラム９Ｄを起動する。そして、制御部１０は、ステップＳ３２に示すように、ゲームプログラム９Ｄが提供するゲーム画面ＳＣ４Ａをタッチパネル２に表示させ、ゲームプログラム９Ｄが提供するゲーム画面ＳＣ４Ｂをタッチパネル３に表示させる。ゲーム画面ＳＣ４Ａは、操作を受け付ける操作用画面であり、ゲーム画面ＳＣ４Ｂは、操作の結果を表示する結果表示用画面である。
【００５４】
その後、利用者が指Ｆ１でゲーム画面ＳＣ４Ａに対する操作を続け、ゲーム画面ＳＣ４Ｂが表示されているタッチパネル３において操作が検出されない時間が上記の閾値を超えたものとする。この場合、ゲーム画面ＳＣ４Ｂに対応するゲームプログラム９Ｄは、プログラムの実行中での省電力状態への移行がプログラム情報９Ｈにおいて許可されていないため、制御部１０は、ステップＳ３３に示すように、ゲーム画面ＳＣ４Ｂの表示を継続する。
【００５５】
２画面プログラムによって提供される画面は、上記の操作用画面と結果表示用画面のように互いに関連している場合がある。このため、２画面プログラムによって提供される画面の一方の表示が停止されると、他方の画面の利用に支障が生じることがある。２画面プログラムによって提供される画面の一方で操作が検出されない場合でもその画面の表示を維持することにより、そのような支障が生じることを抑止できる。
【００５６】
図８は、２画面プログラムを利用する場合の制御の他の例を示す図である。図８に示すステップＳ４１において、携帯電話端末１は、開状態にある。また、ステップＳ４１において、タッチパネル２およびタッチパネル３は、省電力状態にあり、表示部２Ｂおよび表示部３Ｂの表示が停止している。
【００５７】
この状態において、タッチパネル２またはタッチパネル３においてナビゲーションプログラム９Ｅを起動するための所定の操作が検出されたものとする。この場合、制御部１０は、ナビゲーションプログラム９Ｅを起動する。そして、制御部１０は、ステップＳ４２に示すように、ナビゲーションプログラム９Ｅが提供する地図表示画面ＳＣ５Ａをタッチパネル２に表示させ、ナビゲーションプログラム９Ｅが提供する目的地検索画面ＳＣ５Ｂをタッチパネル３に表示させる。地図表示画面ＳＣ５Ａは、地図を表示する画面であり、目的地検索画面ＳＣ５Ｂは、目的地を検索するために用いられる画面である。
【００５８】
その後、利用者が指Ｆ１で目的地検索画面ＳＣ５Ｂに対する操作を続け、地図表示画面ＳＣ５Ａ表示されているタッチパネル２において操作が検出されない時間が上記の閾値を超えたものとする。この場合、地図表示画面ＳＣ５Ａに対応するナビゲーションプログラム９Ｅは、プログラムの実行中での省電力状態への移行がプログラム情報９Ｈにおいて許可されているため、制御部１０は、ステップＳ４３に示すように、タッチパネル２を省電力状態へ移行させる。
【００５９】
ステップＳ４３では、制御部１０は、表示部２Ｂの表示を微灯状態にすることによって、タッチパネル２を省電力状態へ移行させている。微灯状態は、表示部２Ｂが液晶ディスプレイのようにバックライト等の光源を有する表示装置の場合、光源の発光を停止させる、または、光源の輝度を低下させることによって実現される。また、微灯状態は、表示部２Ｂが有機ＥＬパネルのように自発光型の表示装置の場合、輝度を低下させることによって実現される。
【００６０】
ステップＳ４３に示すように、表示部２Ｂには、微灯状態に移行後も、地図表示画面ＳＣ５Ａがうっすらと表示される。既に説明したように、２画面プログラムによって提供される画面は、それぞれ関連することが多く、一方の画面が見えなくなると他方の画面の利用に支障が生じることがある。省電力状態において、表示部２Ｂの表示を停止するのではなく、微灯状態とすることにより、消費電力を抑制しつつ、一方の画面が全く見えなくなることによる不都合を抑止できる。
【００６１】
また、２画面プログラムによって提供される画面が表示されている場合、制御部１０は、タッチパネル２を省電力状態へ移行させた後も、ナビゲーションプログラム９Ｅの実行を停止させない。このため、省電力状態へ移行していないタッチパネル３にたいする操作が行われると、ナビゲーションプログラム９Ｅが提供する機能に基づいて、操作に対応する処理が制御部１０によって実行される。
【００６２】
その後、タッチパネル２において接触が検出されると、制御部１０は、ステップＳ４４に示すように、表示部２Ｂの微灯状態を解除し、地図表示画面ＳＣ５Ａを通常通りに表示させる。また、タッチパネル３において表示されている目的地検索画面ＳＣ５Ｂにおいて目的地を確定する操作が行われた場合、制御部１０は、ナビゲーションプログラム９Ｅが提供する機能に基づいて、目的地を地図上に示すための表示処理をタッチパネル２に対して実行する。その際、制御部は、ステップＳ４５に示すように、表示処理の結果を利用者が確認できるようにするために、表示部２Ｂの微灯状態を解除し、地図表示画面ＳＣ５Ａを通常通りに表示させる。
【００６３】
図８では、タッチパネル２において操作が検出されない時間が閾値を超えた場合について説明したが、タッチパネル３において操作が検出されない時間が閾値を超えた場合も同様の省電力処理が行われる。すなわち、タッチパネル３において操作が検出されない時間が閾値を超えた場合、制御部１０は、表示部３Ｂを微灯状態にする。
【００６４】
なお、ステップＳ４３に示すように一方のタッチパネルの表示部が微灯状態になっているときに他方のタッチパネルにおいて操作が検出されない時間が上記の閾値を超えた場合、制御部１０は、タッチパネル２およびタッチパネル３を省電力状態にする。この場合、いずれの画面も利用されていないと考えられるため、制御部１０は、表示部２Ｂおよび表示部３Ｂの表示を停止させる。また、この場合、制御部１０は、タッチパネル２およびタッチパネル３に画面を提供している２画面プログラムの実行を中断する。
【００６５】
図９は、プログラムから他のプログラムが呼び出された場合の制御の一例を示す図である。図９に示すステップＳ５１において、携帯電話端末１は、開状態にある。また、ステップＳ５１において、タッチパネル２およびタッチパネル３は、省電力状態にあり、表示部２Ｂおよび表示部３Ｂの表示が停止している。
【００６６】
この状態において、タッチパネル３においてメールプログラム９Ｂを起動するための所定の操作が検出されたものとする。この場合、制御部１０は、メールプログラム９Ｂを起動し、ステップＳ５２に示すように、メールプログラム９Ｂが提供するメール作成画面ＳＣ２をタッチパネル３に表示させる。
【００６７】
続いて、タッチパネル３において、メールに添付するファイルを選択するための所定の操作が検出されたものとする。この場合、制御部１０は、メールプログラム９Ｂが提供する機能に従って、ファイラプログラム９Ｆを起動し、ステップＳ５３に示すように、ファイラプログラム９Ｆが提供するファイル選択画面ＳＣ６をタッチパネル２に表示させる。
【００６８】
そのまま利用者が指Ｆ１でファイル選択画面ＳＣ６に対する操作を続け、メール作成画面ＳＣ２が表示されているタッチパネル３において操作が検出されない時間が上記の閾値を超えたものとする。この場合、メール作成画面ＳＣ２に対応するメールプログラム９Ｂは、プログラムの実行中での省電力状態への移行がプログラム情報９Ｈにおいて許可されているため、制御部１０は、ステップＳ５４に示すように、タッチパネル３を省電力状態へ移行させる。
【００６９】
ステップＳ５４では、制御部１０は、表示部３Ｂの表示を微灯状態にすることによって、タッチパネル３を省電力状態へ移行させている。この場面では、メールプログラム９Ｂから呼び出されたファイラプログラム９Ｆがまだ実行中である。このように、呼び出し関係（依存関係）があるプログラムによって提供される画面は、それぞれ関連することが多く、一方の画面が見えなくなると他方の画面の利用に支障が生じることがある。省電力状態において、表示部３Ｂの表示を停止するのではなく、微灯状態とすることにより、消費電力を抑制しつつ、一方の画面が全く見えなくなることによる不都合を抑止できる。
【００７０】
その後、利用者が指Ｆ１でファイル選択画面ＳＣ６に対する操作を続け、ファイルの選択が完了したものとする。この場合、ステップＳ５５に示すように、ファイル選択画面ＳＣ６を提供するファイラプログラム９Ｆの実行が終了し、ファイル選択画面ＳＣ６が消去される。また、ファイルの選択の完了にともなって、制御部１０は、呼び出し先からの復帰処理を行い、表示部３Ｂの微灯状態を解除してメール作成画面ＳＣ２に対して後続の操作が行われるようにする。この場合、制御部１０は、復帰処理として、選択されたファイルのファイル名をメール作成画面ＳＣ２に反映させる。
【００７１】
また、ステップＳ５６に示すように、表示部３Ｂが微灯状態にあるときにタッチパネル３において接触が検出されると、制御部１０は、表示部３Ｂの微灯状態を解除し、メール作成画面ＳＣ２を通常通りに表示させる。
【００７２】
図９では、タッチパネル３に画面を提供しているプログラムから呼び出されたプログラムによって提供される画面がタッチパネル２に表示される例を示したが、タッチパネル２とタッチパネル３が逆であってもよい。
【００７３】
なお、ステップＳ５４に示すように一方のタッチパネルの表示部が微灯状態になっているときに他方のタッチパネルにおいて操作が検出されない時間が上記の閾値を超えた場合、制御部１０は、タッチパネル２およびタッチパネル３を省電力状態にする。この場合、いずれの画面も利用されていないと考えられるため、制御部１０は、表示部２Ｂおよび表示部３Ｂの表示を停止させてもよい。また、この場合、制御部１０は、タッチパネル２に画面を提供しているプログラムおよびタッチパネル３に画面を提供しているプログラムの実行を中断してもよい。
【００７４】
次に、図１０および図１１を参照しながら、省電力処理における携帯電話端末１の動作について説明する。図１０は、省電力移行処理の処理手順を示すフローチャートである。図１０に示す処理手順は、制御プログラム９Ｇが提供する機能によって実現され、表示部ごとに繰り返して実行される。なお、以下の図１０の説明において単に表示部という場合、表示部２Ｂと表示部３Ｂのうち、処理対象となっている側の表示部を意味する。
【００７５】
図１０に示すように、携帯電話端末１の制御部１０は、ステップＳ１０１として、表示部が通常状態であるかを判定する。表示部が通常状態でない場合、すなわち、既に省電力状態にある場合（ステップＳ１０１，Ｎｏ）、制御部１０は、省電力移行処理を終了させる。
【００７６】
表示部が通常状態である場合（ステップＳ１０１，Ｙｅｓ）、制御部１０は、ステップＳ１０２として、表示部に対する操作が検出されない時間である無操作時間を取得する。無操作時間が閾値よりも短い場合（ステップＳ１０３，Ｎｏ）、制御部１０は、省電力移行処理を終了させる。
【００７７】
無操作時間が閾値以上の場合（ステップＳ１０３，Ｙｅｓ）、制御部１０は、ステップＳ１０４として、プログラム情報９Ｈを参照して、表示部に画面を提供しているプログラムが、実行中での省電力状態への移行を許可されているかを判定する。実行中での省電力状態への移行を許可されていない場合（ステップＳ１０４，Ｎｏ）、制御部１０は、省電力移行処理を終了させる。
【００７８】
表示部に画面を提供しているプログラムが、実行中での省電力状態への移行を許可されている場合（ステップＳ１０４，Ｙｅｓ）、制御部１０は、ステップＳ１０５として、そのプログラムが１画面プログラム、すなわち、一方の表示部のみに画面を提供しているプログラムかを判定する。
【００７９】
表示部に画面を提供しているプログラムが１画面プログラムの場合（ステップＳ１０５，Ｙｅｓ）、制御部１０は、ステップＳ１０６として、そのプログラムが他のプログラムを呼び出し中であるかを判定する。他のプログラムを呼び出し中の場合（ステップＳ１０６，Ｙｅｓ）、制御部１０は、ステップＳ１０７として、表示部を微灯状態へ移行させる。一方、他のプログラムを呼び出し中でない場合（ステップＳ１０６，Ｎｏ）、制御部１０は、ステップＳ１０８として、表示部の表示を停止させ、ステップＳ１０９として、表示部に画面を提供しているプログラムの実行を中断する。
【００８０】
表示部に画面を提供しているプログラムが１画面プログラムでない場合（ステップＳ１０５，Ｎｏ）、制御部１０は、ステップＳ１１０として、他方のタッチパネルの表示部の状態を取得する。他方のタッチパネルの表示部が微灯状態でない場合（ステップＳ１１１，Ｎｏ）、制御部１０は、ステップＳ１１２として、表示部を微灯状態へ移行させる。一方、他方のタッチパネルの表示部が微灯状態の場合（ステップＳ１１１，Ｙｅｓ）、制御部１０は、ステップＳ１１３として、表示部の表示を停止させ、ステップＳ１１４として、表示部に画面を提供しているプログラムの実行を中断する。
【００８１】
図１１は、省電力復帰処理の処理手順を示すフローチャートである。図１１に示す処理手順は、制御プログラム９Ｇが提供する機能によって実現され、表示部ごとに繰り返して実行される。なお、以下の図１１の説明において単に表示部という場合、表示部２Ｂと表示部３Ｂのうち、処理対象となっている側の表示部を意味する。
【００８２】
図１１に示すように、携帯電話端末１の制御部１０は、ステップＳ２０１として、表示部が通常状態であるかを判定する。表示部が通常状態である場合、すなわち、省電力状態にない場合（ステップＳ２０１，Ｎｏ）、制御部１０は、省電力復帰処理を終了させる。
【００８３】
表示部が通常状態にない場合、すなわち、省電力状態にある場合（ステップＳ２０１，Ｙｅｓ）、制御部１０は、ステップＳ２０２として、表示部に画面を提供しているプログラムが１画面プログラムかを判定する。
【００８４】
表示部に画面を提供しているプログラムが１画面プログラムの場合（ステップＳ２０２，Ｙｅｓ）、制御部１０は、ステップＳ２０３として、表示部に対する操作が検出されたかを判定する。接触が検出されていない場合（ステップＳ２０３，Ｎｏ）、制御部１０は、ステップＳ２０４として、呼び出し先のプログラムからの復帰処理が行われたかを判定する。呼び出し先のプログラムからの復帰処理が行われていない場合（ステップＳ２０４，Ｎｏ）、制御部１０は、省電力復帰処理を終了させる。
【００８５】
接触が検出された場合（ステップＳ２０３，Ｙｅｓ）、または、呼び出し先のプログラムからの復帰処理が行われた場合（ステップＳ２０４，Ｙｅｓ）、制御部１０は、ステップＳ２０５として、表示部が微灯状態であるかを判定する。表示部が微灯状態である場合（ステップＳ２０５，Ｙｅｓ）、制御部１０は、ステップＳ２０６として、表示部の微灯状態を解除して通常状態へ遷移させる。表示部が微灯状態でない場合（ステップＳ２０５，Ｎｏ）、制御部１０は、ステップＳ２０７として、表示部に画面を提供していたプログラムの実行を再開させ、ステップＳ２０８として、表示部の表示を再開して通常状態へ遷移させる。
【００８６】
表示部に画面を提供しているプログラムが１画面プログラムでない場合（ステップＳ２０２，Ｎｏ）、制御部１０は、ステップＳ２０９として、表示部に対する操作が検出されたかを判定する。接触が検出されていない場合（ステップＳ２０９，Ｎｏ）、制御部１０は、ステップＳ２１０として、表示部に対する表示処理が行われたかを判定する。表示部に対する表示処理が行われていない場合（ステップＳ２１０，Ｎｏ）、制御部１０は、省電力復帰処理を終了させる。
【００８７】
接触が検出された場合（ステップＳ２０９，Ｙｅｓ）、または、表示部に対する表示処理が行われた場合（ステップＳ２１０，Ｙｅｓ）、制御部１０は、ステップＳ２１１として、表示部が微灯状態であるかを判定する。表示部が微灯状態である場合（ステップＳ２１１，Ｙｅｓ）、制御部１０は、ステップＳ２１２として、表示部の微灯状態を解除して通常状態へ遷移させる。表示部が微灯状態でない場合（ステップＳ２１１，Ｎｏ）、制御部１０は、ステップＳ２１３として、表示部に画面を提供していたプログラムの実行を再開させ、ステップＳ２１４として、２つのタッチパネルの表示部の表示を再開して通常状態へ遷移させる。
【００８８】
上述してきたように、本実施形態では、画面を提供するプログラムの種類や表示部の利用され方に応じて省電力処理を異ならせることとしたので、利用形態に合わせて好適な省電力処理を行うことができる。
【００８９】
なお、上記の実施形態で示した本発明の態様は、本発明の要旨を逸脱しない範囲で任意に変更することができる。例えば、制御プログラム９Ｇは、複数のモジュールに分割されていてもよいし、他のプログラムと統合されていてもよい。
【００９０】
また、上記の実施形態では、操作検出部としてタッチセンサを備える携帯電子機器について説明したが、本発明は、操作検出部としてキーボード等の複数の物理的なボタンを有する携帯電子機器にも適用することができる。
【００９１】
また、上記の実施形態では、プログラムの実行中に省電力状態への移行を行ってよいか否かがプログラム情報９Ｈに予め設定されていることとしたが、プログラムの実行中に省電力状態への移行を行ってよいか否かをプログラムの動作に基づいて判定してもよい。例えば、携帯電子機器は、上記の実施形態で示した動画再生プログラム９Ｃやゲームプログラム９Ｄのように複数の画像を連続して再生する画面を提供するプログラムを、実行中に省電力状態への移行を行ってはならないプログラムと判定してもよい。このようなプログラムの実行中に表示部を省電力状態へ移行させると、利用者による画像の視聴を妨げるおそれがあるからである。複数の画像を連続して再生する画面を提供するプログラムには、テレビ視聴プログラムやプレゼンテーションプログラム等が含まれる。
【００９２】
また、上記の実施形態では、表示部を省電力状態に移行させる際に、その表示部に画面を提供していたプログラムの実行を中断する例を示したが、そのプログラムに基づいて表示部以外の部位が制御されている場合には、プログラムの実行を継続させてもよい。例えば、省電力状態へ移行させた表示部に画面を提供していたプログラムが音楽データを再生する音楽再生プログラムの場合、再生中の音楽を出力するために、音楽再生プログラムに基づいてスピーカ等が制御される。この場合、表示部を省電力状態へ移行させた後も音楽再生プログラムの実行を継続することにより、利用者は、音楽を引き続き楽しむことができる。
【００９３】
また、上記の図７および図８では、２画面プログラムが複数の表示部にそれぞれ異なる種類の画面を表示する例を示したが、２画面プログラムが複数の表示部に跨がって１つの画面を表示する場合には、複数の画面を１つの表示部として処理すればよい。すなわち、複数の表示部に跨がって１つの画面が表示される場合、複数の表示部のいずれに対する操作も検出されない時間が閾値以上継続した場合に、無操作時間が閾値以上になったと判定してよい。また、複数の表示部のいずれかに対する操作が閾値よりも短い間隔で検出された場合、無操作時間が閾値より短いと判定してよい。また、省電力状態への移行および復帰は、複数の表示部に対して同時に実施すればよい。
【符号の説明】
【００９４】
１    携帯電話端末
１Ａ  第１の筐体
１Ｂ  第２の筐体
１Ｃ  連結部
２、３  タッチパネル
２Ａ、３Ａ  タッチセンサ
２Ｂ、３Ｂ  表示部
９    記憶部
９Ａ  ブラウザプログラム
９Ｂ  メールプログラム
９Ｃ  動画再生プログラム
９Ｄ  ゲームプログラム
９Ｅ  ナビゲーションプログラム
９Ｆ  ファイラプログラム
９Ｇ  制御プログラム
９Ｈ  プログラム情報
１０  制御部
１１  ＲＡＭ
２０  表示部
【図１】
0005679891.tif 000002
【図２】
0005679891.tif 000003
【図３】
0005679891.tif 000004
【図４】
0005679891.tif 000005
【図５】
0005679891.tif 000006
【図６】
0005679891.tif 000007
【図７】
0005679891.tif 000008
【図８】
0005679891.tif 000009
【図９】
0005679891.tif 000010
【図１０】
0005679891.tif 000011
【図１１】
0005679891.tif 000012